(57)【要約】【課題】内燃機関の金属摩耗を軽減することのできる潤滑油組成物を提供する。【解決手段】（ａ）主要量の潤滑粘度の油；（ｂ）カルボン酸のアニオンを含む少なくとも一つの配位子を含む一種以上のハロゲン不含油溶性チタン錯体；（ｃ）一種以上の分散剤；および（ｄ）一種以上の清浄剤を含み、いかなるジアルキルジチオリン酸亜鉛も含まない潤滑油組成物。【選択図】なし【特許請求の範囲】
【請求項１】
（ａ）主要量の潤滑粘度の油；（ｂ）カルボン酸のアニオンを含む少なくとも一つの配位子を持つ一種以上のハロゲン不含油溶性チタン錯体；（ｃ）一種以上の分散剤；および（ｄ）一種以上の清浄剤を含む潤滑油組成物であって、いかなるジアルキルジチオリン酸亜鉛も含むことがない潤滑油組成物。
【請求項２】
潤滑油組成物が内燃機関用油である請求項１の潤滑油組成物。
【請求項３】
上記の一種以上のハロゲン不含油溶性チタン錯体が、同一でも異なっていてもよいカルボン酸のアニオンを含む少なくとも二つの配位子を持つ請求項１もしくは２に記載の潤滑油組成物。
【請求項４】
上記の一種以上のハロゲン不含油溶性チタン錯体が、同一でも異なっていてもよいカルボン酸のアニオンを含む少なくとも三つの配位子を持つ請求項１もしくは２に記載の潤滑油組成物。
【請求項５】
上記の一種以上のハロゲン不含油溶性チタン錯体が、同一でも異なっていてもよいカルボン酸のアニオンを含む四つの配位子を持つ請求項１もしくは２に記載の潤滑油組成物。
【請求項６】
上記のカルボン酸のアニオンを含む配位子がＣ２−Ｃ３０のモノカルボン酸から誘導される、請求項１乃至５のいずれか一項に記載の潤滑油組成物。
【請求項７】
上記のＣ２−Ｃ３０のモノカルボン酸が脂肪酸である請求項６の潤滑油組成物。
【請求項８】
上記の一種以上の分散剤がビスコハク酸イミドを含む請求項１乃至７のいずれか一項に記載の潤滑油組成物。
【請求項９】
上記の一種以上の清浄剤が一種以上の金属含有清浄剤を含む請求項１乃至８のいずれか一項に記載の潤滑油組成物。
【請求項１０】
潤滑油組成物の全質量に基づき、Ｔｉ金属として１０ｐｐｍ乃至３０００ｐｐｍの上記の一種以上のチタン錯体、０．５質量％乃至８質量％の上記の一種以上の分散剤、および０．２質量％乃至８質量％の上記の一種以上の清浄剤を含む請求項１乃至９のいずれか一項に記載の潤滑油組成物。
【請求項１１】
組成物の全質量に基づくリン含有量が０．０５質量％を超えない請求項１乃至１０のいずれか一項に記載の潤滑油組成物。
【請求項１２】
いかなるリン含有量も実質的に存在しない請求項１乃至１０のいずれか一項に記載の潤滑油組成物。
【請求項１３】
ＡＳＴＭ  Ｄ８７４により測定される硫酸灰分量が１．０質量％以下である請求項１乃至１２のいずれか一項に記載の潤滑油組成物。
【請求項１４】
さらに、酸化防止剤、ジアルキルジチオリン酸亜鉛以外の耐摩耗剤、さび止め剤、曇り除去剤、抗乳化剤、金属不活性化剤、摩擦緩和剤、流動点降下剤、消泡剤、補助溶媒、パッケージ混合剤、腐食防止剤、染料、極圧剤、およびそれらの混合物からなる群より選ばれる少なくとも一種の添加剤を含む請求項１乃至１３のいずれか一項に記載の潤滑油組成物。
【請求項１５】
内燃機関における金属部分の摩耗を軽減する方法であって、請求項１乃至１４のいずれか一項に記載の潤滑油組成物の存在下でエンジンを作動させることを含む方法。
【発明の詳細な説明】
【技術分野】
【０００１】
本発明は一般に云って、潤滑油組成物に関する。
【背景技術】
【０００２】
自動車のスパーク点火装置とディーゼルエンジンは、バルブ、カム、およびロッカーアームを含む弁系システムを有する。これらについては特に潤滑性に関係する要求がある。潤滑剤、すなわちエンジン油が摩耗からこれらの部品を保護することは極めて重要である。エンジン油については、エンジン中の堆積物の生成を抑制することも重要である。そのような堆積物は、使用するエンジン油の劣化に起因し、炭化水素燃料（例、ガソリンおよびディーゼル燃料油）の非燃焼物および不完全燃焼の生成物である。
【０００３】
代表的なエンジン油は、鉱物油もしくは合成油を基油として使用する。しかし、単に基油のみでは、内燃機関を保護するために必要とされる摩耗防止、堆積制御などを実現する機能を提供することができない。従って、基油には、無灰性分散剤、金属清浄剤（金属含有清浄剤）、抗摩耗剤、抗酸化剤（酸化防止剤）、粘度指数向上剤その他のような補助的な機能を分担する様々な添加剤が処方され、処方済み油（潤滑油組成物）が供給されている。
【０００４】
そのようなエンジン油添加剤は、多数が知られており、実際に用いられている。例えば、ジアルキルジチオリン酸亜鉛は、抗摩耗剤としての望ましい性質および酸化防止剤としての性能を理由に、市販の内燃機関用油、特に自動車に用いられるエンジン油に普通に含まれている。
【０００５】
一方、ジアルキルジチオリン酸亜鉛の使用に伴う問題は、そのリンおよび硫黄の誘導体が、触媒コンバータの触媒成分を害することである。これは、有効な触媒コンバータが必要とされていること、そして触媒コンバータは、汚染を減少させ、炭化水素、一酸化炭素、および窒素酸化物のような内燃機関が排出する排気中の有害な気体を減少させるために制定されている政府の規制に適合させるために必要とされていることと大いに関係がある。そのような触媒コンバータは、一般に触媒金属（例、白金）と金属酸化物との組合せを用いている。触媒コンバータは、排気の気流中（例、自動車の排気管）に取り付けられ、毒性の気体を無毒の気体に変換する。既に述べたように、これらの触媒成分は、ジアルキルジチオリン酸亜鉛のリンおよび硫黄成分もしくはリンおよび硫黄分解生成物により害される。そのため、リンおよび硫黄添加剤を含むエンジン油の使用は、触媒コンバーターの寿命と効果とを相当程度低下させる。
【０００６】
リンと硫黄の含有量を低くすることについては、政府と自動車産業からの圧力もある。例えば、現在のＧＦ−４仕様の自動車油の仕様書では、処方済みの油に対して、リンは０．０８質量％未満、硫黄は０．７質量％未満の含有量であることが要求されている。一方、ＣＪ−４仕様の自動車油の仕様書では、最新の世代の耐久性ディーゼルエンジン油について、リンは０．１２質量％未満、硫黄は０．４質量％未満、そして硫酸灰分は１．０質量％未満の量であることが要求されている。このような程度まで低下させると、エンジンの性能、エンジンの耐久性、およびエンジン油の酸化に対して深刻な影響が生じる可能性があると広く信じられている。これは、エンジン油中のリン含有量の大部分が、歴史的にジアルキルジチオリン酸亜鉛を起源としているからである。従って、潤滑油からジアルキルジチオリン酸亜鉛の量を低くし、それにより触媒の不活性化を抑制し、さらに触媒コンバータの寿命と効果とを改善することが望まれる。同時に、エンジン油中のリンおよび硫黄の含有量を、提案される将来の工業基準にも適合することも望まれる。しかし、単にジアルキルジチオリン酸亜鉛の量を低くするだけでは、問題が起きる。すなわち、それだけでは、潤滑油の抗摩耗性および酸化防止性能が低下することが避けられないためである。そのため、リンおよび硫黄の含有量が高いエンジン油における抗摩耗性を依然として維持しながら、リンおよび硫黄の含有量を低く、あるいはなくする方法を見い出す必要がある。
【０００７】
特許文献１は、潤滑粘度の油、化合物中に約５０乃至約８５％のビニリデン二重結合を有するポリアルキレン化合物から誘導される少なくとも一種のコハク酸イミド分散剤、金属含有清浄剤、少なくとも一種の摩耗軽減剤、少なくとも一種の酸化防止剤、および摩擦緩和剤としてチタンアルコキシドと約Ｃ６乃至約Ｃ２５のカルボン酸との反応生成物である炭化水素可溶性チタン化合物を含む潤滑油組成物を開示している。この潤滑油組成物はモリブデン化合物を実質的に含まない。特許文献１は、さらに上記の摩耗軽減剤が、少なくとも一種のジヒドロ炭化水素ジチオリン酸金属化合物、例えば、ジヒドロ炭化水素ジチオリン酸亜鉛であることを開示している。
【０００８】
特許文献２は、（ａ）潤滑粘度の油、（ｂ）有機モリブデン摩擦緩和剤、グリセロールエステル摩擦緩和剤、およびそれらの混合物から実質的になる群より選ばれる摩擦緩和剤、並びに（ｃ）炭化水素可溶性チタン化合物を欠く潤滑油組成物の耐摩耗性能の改良よりも潤滑油組成物の耐摩耗性能が改良されるために有効な量で少なくとも一種の炭化水素可溶性チタン化合物を含む耐摩耗剤を含む潤滑油組成物を開示し、上記の化合物は実質的に硫黄およびリン原子が含まない。特許文献２は、さらに炭化水素可溶性チタン化合物がチタンアルコキシドと約Ｃ６乃至約Ｃ２５のカルボン酸との反応生成物であることを開示している。特許文献２が開示するすべての実施例は、炭化水素可溶性チタン化合物をジチオリン酸亜鉛と組み合わせることを開示している。
【先行技術文献】
【特許文献】
【０００９】
【特許文献１】米国特許出願公開第２００７／０１１１９０８号明細書
【特許文献２】米国特許出願公開第２００７／０１４９４１８号明細書
【発明の概要】
【発明が解決しようとする課題】
【００１０】
以上のように潤滑油のリン含有量をさらに減少させ、硫黄含有量を制限するとの要求が非常に高いため、現在の実用化されている方法では、そのような削減要求を満足することができない。それだけではなく、依然として、今日のエンジン油に要求されている厳しい耐摩耗性能と酸化−腐食防止性能とに適合できていない。従って、リン含有量が比較的低レベルであるか、あるいは全く含まず、硫黄および硫酸灰分も比較的低レベルであるが、必要とされる摩耗防止性能を実現する潤滑油組成物を開発することが望まれる。ところが、それらの性能は、現在でも依然としてジアルキルジチオリン酸亜鉛を含む潤滑油によって提供されている。それゆえ、いかなるジアルキルジチオリン酸亜鉛も含まない潤滑油組成物を開発することも望まれる。
【課題を解決するための手段】
【００１１】
本発明の一つの態様では、（ａ）主要量の潤滑粘度の油；（ｂ）カルボン酸のアニオンを含む少なくとも一つの配位子を持つ一種以上のハロゲン不含油溶性チタン錯体；（ｃ）一種以上の分散剤；および（ｄ）一種以上の清浄剤を含む潤滑油組成物であって、いかなるジアルキルジチオリン酸亜鉛も含まない潤滑油組成物が提供される。
【００１２】
本発明の第二の態様では、（ａ）主要量の潤滑粘度の油；（ｂ）カルボン酸のアニオンを含む少なくとも一つの配位子を持つ一種以上のハロゲン不含油溶性チタン錯体；（ｃ）一種以上の分散剤；および（ｄ）一種以上の清浄剤を含む潤滑油組成物であって、いかなるジアルキルジチオリン酸亜鉛も含まない潤滑油組成物の存在下でエンジンを作動させることを含む内燃機関における金属部分の摩耗を軽減する方法が提供される。
【００１３】
本発明の第三の態様では、（ａ）主要量の潤滑粘度の油；（ｂ）カルボン酸のアニオンを含む少なくとも一つの配位子を持つ一種以上のハロゲン不含油溶性チタン錯体；（ｃ）一種以上の分散剤；および（ｄ）一種以上の清浄剤を含む潤滑油組成物であって、いかなるジアルキルジチオリン酸亜鉛も含まない潤滑油組成物による潤滑作用の下で運転される内燃機関が提供される。
【発明の効果】
【００１４】
本発明の潤滑油組成物では、本明細書が開示する、いかなるジアルキルジチオリン酸亜鉛も存在することなく、カルボン酸のアニオンを含む少なくとも一つの配位子を持つ一種以上のハロゲン不含油溶性チタン錯体を用いることで、意外にも、潤滑油組成物中の本明細書が開示するモノカルボン酸のアニオンを含む少なくとも一つの配位子を持つハロゲン不含油溶性チタン錯体を、ジアルキルジチオリン酸亜鉛化合物もしくは別のチタン錯体に置き換える以外は同等の対応する潤滑油組成物と比較して、潤滑油組成物が改良された、もしくはほぼ同等の摩耗軽減性能を有利に示すことが見出された。さらに、リンの使用量が比較的低レベルであるか、あるいはいかなるリン含有量も実質的に存在せず、硫黄および硫酸灰分も比較的低レベルである本発明の潤滑油組成物により、摩耗軽減性能を達成することができる。
【発明を実施するための形態】
【００１５】
（定義）
用語「全塩基価」もしくは「ＴＢＮ」は、１グラムの生成物を中和するために必要なミリグラム単位のＫＯＨの当量数を意味する。従って、高いＴＢＮは、強い過塩基性の生成物および、その結果として酸を中和するためにより高い塩基性が確保されていることを反映している。生成物のＴＢＮは、ＡＳＴＭに規定されたＤ２８９６もしくは同等の操作により測定できる。より高いＴＢＮを有する潤滑剤は、低ＴＢＮの潤滑剤よりも大きなアルカリ性を示す。言い換えると、前者はより多量の酸性種を中和することができる。
【００１６】
本出願が開示する物質のすべての濃度は、別に特定しない限り、「活性物」基準である。これは、記載する濃度が、例えば、希釈剤または未反応の出発物質もしくは中間体を含まないことである。
【００１７】
本発明は、少なくとも（ａ）主要量の潤滑粘度の油；（ｂ）カルボン酸のアニオンを含む少なくとも一つの配位子を持つ一種以上のハロゲン不含油溶性チタン錯体；（ｃ）一種以上の分散剤；および（ｄ）一種以上の清浄剤を含む潤滑油組成物であって、いかなるジアルキルジチオリン酸亜鉛も含まない潤滑油組成物に関する。
【００１８】
ある態様では、本発明の潤滑油組成物は、少なくとも（ａ）主要量の潤滑粘度の油；（ｂ）モノカルボン酸のアニオンを含む少なくとも一つの配位子を持つ一種以上のハロゲン不含油溶性チタン錯体；（ｃ）一種以上の分散剤；および（ｄ）一種以上の清浄剤を含み、上記の潤滑油組成物はいかなるジアルキルジチオリン酸亜鉛も含むことなく、さらに上記の潤滑油組成物はあらゆるリンを実質的に含むことなく、硫黄が約０．２質量％未満であり、ＡＳＴＭ  Ｄ８７４により測定される硫酸灰分量が約０．９質量％以下である。
【００１９】
本明細書で使用する用語「実質的に含まない」は、いかなるリンも、相対的に微量であるか、あるいは全く存在しないと見られる量、例えば、約０．０１質量％未満の量であることを意味すると理解すべきである。
【００２０】
別の態様では、本発明の潤滑油組成物は、少なくとも（ａ）主要量の潤滑粘度の油；（ｂ）モノカルボン酸のアニオンを含む少なくとも一つの配位子を持つ一種以上のハロゲン不含油溶性チタン錯体；（ｃ）一種以上の分散剤；および（ｄ）一種以上の清浄剤を含み、上記の潤滑油組成物はいかなるジアルキルジチオリン酸亜鉛も含むことなく、さらに潤滑油組成物はリンが０．０５質量％未満であり、硫黄が約０．３質量％未満であって、ＡＳＴＭ  Ｄ８７４により測定される硫酸灰分量が約０．９質量％以下である。
【００２１】
別の態様では、本発明の潤滑油組成物は、少なくとも（ａ）主要量の潤滑粘度の油；（ｂ）モノカルボン酸のアニオンを含む少なくとも一つの配位子を持つ一種以上のハロゲン不含油溶性チタン錯体；（ｃ）一種以上の分散剤；および（ｄ）一種以上の清浄剤を含み、上記の潤滑油組成物はいかなるジアルキルジチオリン酸亜鉛も含むことなく、さらに上記の潤滑油組成物は硫黄が約０．４質量％未満であって、ＡＳＴＭ  Ｄ８７４により測定される硫酸灰分量が約１．０質量％以下である。
【００２２】
本発明の潤滑油組成物において、リンおよび硫黄の量は、ＡＳＴＭ  Ｄ４９５１に従い測定される。
【００２３】
本発明の潤滑油組成物において使用するための潤滑粘度の油は、基油とも呼ばれ、一般に主要量、例えば、組成物の全質量に基づき５０質量％を超える量、好ましくは約７０質量％を超える量、さらに好ましくは約８０乃至約９９．５質量％、最も好ましくは約８５乃至約９８質量％でその中に存在する。本明細書で使用する表現「基油」は、単一の製造者により同一の仕様に（供給源や製造者の所在地とは無関係に）製造され、同じ製造者の仕様を満たし、かつ各々特有の処方、製造物確認番号、もしくはそれらの両方によって識別される潤滑剤成分である、基材油もしくは配合された基材油を意味すると理解されたい。
【００２４】
本発明で使用される基油は、ありとあらゆる用途（例、エンジン油、舶用シリンダー油、機能液、具体的には油圧作動油、ギア油、変速機液等）で潤滑油組成物を処方する際に使用される、今日知られているか、あるいは後日発見されるいかなる潤滑粘度の油であってもよい。特定の基油は、潤滑油について意図している適用分野と他の添加剤の存在とに基づいて選択する。例えば、本発明の実用において有用な潤滑粘度の油は、軽質留出鉱物油から、重質潤滑油、例えば、ガソリンエンジン油、鉱物潤滑油、および高負荷ディーゼル油に至るまでの範囲の粘度が可能である。さらに、本発明で使用するための基油は、任意に粘度指数向上剤（例、重合アルキルメタクリレート）；オレフィン性コポリマー（例、エチレン−プロピレンコポリマーもしくはスチレン−ブタジエンコポリマー）；その他、およびそれらの混合物を含むことができる。
【００２５】
本発明の潤滑油組成物は、従来の技術により、適切な量の本明細書が開示する上記の一種以上のハロゲン不含油溶性チタン錯体を、潤滑粘度の油および従来の潤滑油添加剤と混合することにより製造することができる。あるいは、本発明の潤滑油組成物は、従来の技術により、適切な量の本明細書が開示する上記の一種以上のハロゲン不含油溶性チタン錯体を、添加剤濃縮物中に、潤滑粘度の油および従来の潤滑油添加剤と混合することによって製造することができる。
【００２６】
当業者であれば容易に理解できるように、基油の粘度は用途に依存する。従って、ここで使用する基油の粘度は、通常、摂氏１００度（℃）で約２乃至約２０００センチストークス（ｃＳｔ）の範囲にある。一般にエンジン油として使用される個々の基油は、動粘度範囲が１００℃で約２ｃＳｔ乃至約３０ｃＳｔ、好ましくは約３ｃＳｔ乃至約１６ｃＳｔ、最も好ましくは約４ｃＳｔ乃至約１２ｃＳｔであり、そして所望の最終用途および最終油の添加剤に応じて選択または配合されて、所望のグレードのエンジン油、例えばＳＡＥ粘度グレードが０Ｗ、０Ｗ−２０、０Ｗ−３０、０Ｗ−４０、０Ｗ−５０、０Ｗ−６０、５Ｗ、５Ｗ−２０、５Ｗ−３０、５Ｗ−４０、５Ｗ−５０、５Ｗ−６０、１０Ｗ、１０Ｗ−２０、１０Ｗ−３０、１０Ｗ−４０、１０Ｗ−５０、１５Ｗ、１５Ｗ−２０、１５Ｗ−３０、もしくは１５Ｗ−４０の潤滑油組成物を与える。ギア油として使用される油は、１００℃において約２ｃＳｔ乃至約２０００ｃＳｔの範囲の粘度を示すものでよい。
【００２７】
基材油は様々な種類の方法を用いて製造することができ、その例は、これらに限定されるものではないが、蒸留、溶剤精製、水素処理、オリゴマー化、エステル化、および再精製を含む。再精製基材油には、製造、汚染もしくは以前の使用において混入した物質が実質的に含まれない。本発明の潤滑油組成物の基油は、いかなる天然もしくは合成潤滑基油であってもよい。適切な炭化水素合成油は、限定されるものではないが、エチレンの重合または１−オレフィン類の重合でポリマーにすることにより製造された油、例えばポリアルファオレフィン（ＰＡＯ）油もしくはフィッシャー・トロプシュ法のような一酸化炭素ガスと水素ガスとを用いた炭化水素合成法により製造された油を含む。例えば適切な基油は、重質留分を含む場合でもその量がわずかであり、例えば１００℃で粘度が２０ｃＳｔ以上の潤滑油留分をほとんど含むことのない油である。
【００２８】
基油は、天然潤滑油、合成潤滑油、もしくはそれらの混合物から誘導することができる。適切な基油は、合成ろうおよび粗ろうの異性化により得られる基材油、並びに粗原料の芳香族および極性成分を（溶剤抽出というよりはむしろ）水素化分解することにより生成する水素化分解基材油を含む。適切な基材油は、ＡＰＩ公報１５０９、第１４版、補遺Ｉ、１９９８年１２月に規定されたＡＰＩ分類Ｉ、ＩＩ、ＩＩＩ、ＩＶ、およびＶに属するものすべてを含む。ＩＶ種基材油はポリアルファオレフィン（ＰＡＯ）類である。Ｖ種基材油には、Ｉ、ＩＩ、ＩＩＩ、もしくはＩＶ種に含まれなかったその他すべての基材油が含まれる。ＩＩ、ＩＩＩ、およびＩＶ種基材油が本発明で使用するために好ましいが、これらの好ましい基材油を、一種以上のＩ、ＩＩ、ＩＩＩ、ＩＶ、およびＶ種基材油もしくは基油を組み合わせて製造することもできる。
【００２９】
有用な天然油は、鉱物潤滑油、例えば液体石油、パラフィン系、ナフテン系、もしくは混合パラフィン−ナフテン系の溶剤処理もしくは酸処理鉱物潤滑油、石炭もしくは頁岩から誘導された油、動物油および植物油（例、ナタネ油、ヒマシ油、およびラード油）その他を含む。
【００３０】
有用な合成潤滑油は、これらに限定されるものではないが、炭化水素油およびハロゲン置換炭化水素油、例えば重合化および共重合化オレフィン類、具体的にはポリブチレン類、ポリプロピレン類、プロピレン・イソブチレンコポリマー、塩素化ポリブチレン類、ポリ（１−ヘキセン）類、ポリ（１−オクテン）類、ポリ（１−デセン）類その他およびそれらの混合物；アルキルベンゼン類、例えばドデシルベンゼン類、テトラデシルベンゼン類、ジノニルベンゼン類、ジ（２−エチルヘキシル）ベンゼン類その他；ポリフェニル類、例えばビフェニル類、ターフェニル類、アルキル化ポリフェニル類その他；アルキル化ジフェニルエーテル類およびアルキル化ジフェニルスルフィド類、並びにそれらの誘導体、類似物、および同族体その他を含む。
【００３１】
他の有用な合成潤滑油は、これらに限定されるものではないが、炭素原子が５未満のオレフィン類、例えばエチレン、プロピレン、ブチレン類、イソブテン、ペンテン、およびそれらの混合物を重合することにより製造された油を含む。そのような重合油の製造方法は当業者によく知られている。
【００３２】
別の有用な合成炭化水素油は、適正な粘度を有するアルファオレフィン類の液状ポリマーを含む。特に有用な合成炭化水素油は、Ｃ６乃至Ｃ１２のアルファオレフィンの水素化液状オリゴマー類、例えば１−デセン三量体である。
【００３３】
有用な合成潤滑油の別の分類は、これらに限定されるものではないが、アルキレンオキシドポリマー、すなわち単独ポリマー、コポリマー、および末端ヒドロキシル基が、例えばエステル化もしくはエーテル化により変性したそれらの誘導体を含む。これらの油の例は、エチレンオキシドもしくはプロピレンオキシドの重合により製造された油、これらポリオキシアルキレンポリマーのアルキルおよびフェニルエーテル類（例、平均分子量１０００のメチルポリプロピレングリコールエーテル、分子量５００乃至１０００のポリエチレングリコールのジフェニルエーテル、分子量１０００乃至１５００のポリプロピレングリコールのジエチルエーテル等）、もしくはそれらのモノおよびポリカルボン酸エステル類、例えば酢酸エステル類、Ｃ３乃至Ｃ８の混合脂肪酸エステル類、もしくはテトラエチレングリコールのＣ１３オキソ酸ジエステルである。
【００３４】
有用な合成潤滑油のさらに別の分類は、これらに限定されるものではないが、ジカルボン酸類（例、フタル酸、コハク酸、アルキルコハク酸類、アルケニルコハク酸類、マレイン酸、アゼライン酸、スベリン酸、セバシン酸、フマル酸、アジピン酸、リノール酸二量体、マロン酸、アルキルマロン酸類、アルケニルマロン酸類等）と各種アルコール類（例、ブチルアルコール、ヘキシルアルコール、ドデシルアルコール、２−エチルヘキシルアルコール、エチレングリコール、ジエチレングリコールモノエーテル、プロピレングリコール等）とのエステル類を含む。これらエステル類の具体例は、ジブチルアジペート、ジ（２−エチルヘキシル）セバケート、ジ−ｎ−ヘキシルフマレート、ジオクチルセバケート、ジイソオクチルアゼレート、ジイソデシルアゼレート、ジオクチルフタレート、ジデシルフタレート、ジエイコシルセバケート、リノール酸二量体の２−エチルヘキシルジエステル、セバシン酸１モルをテトラエチレングリコール２モルおよび２−エチルヘキサン酸２モルと反応させて生成した複合エステルその他を含む。
【００３５】
合成油として有用なエステル類は、これらに限定されるものではないが、炭素原子が約５乃至約１２のカルボン酸類と、アルコール類（例、メタノール、エタノール等、ポリオールおよびポリオールエーテル類、例えばネオペンチルグリコール、トリメチロールプロパン、ペンタエリトリトール、ジペンタエリトリトール、トリペンタエリトリトールその他）とから製造されたものも含む。
【００３６】
ケイ素系の油、例えばポリアルキル−、ポリアリール−、ポリアルコキシ−、もしくはポリアリールオキシ−シロキサン油およびシリケート油は、合成潤滑油の別の有用な分類を構成する。その具体例は、これらに限定されるものではないが、テトラエチルシリケート、テトライソプロピルシリケート、テトラ（２−エチルヘキシル）シリケート、テトラ（４−メチルヘキシル）シリケート、テトラ（ｐ−ｔｅｒｔ−ブチルフェニル）シリケート、ヘキシル（４−メチル−２−ペントキシ）ジシロキサン、ポリ（メチル）シロキサン類、およびポリ（メチルフェニル）シロキサン類その他を含む。
【００３７】
潤滑油は、以上に開示した種類のうち、天然、合成、もしくは任意の二種以上の混合物の未精製、精製、および再精製の油から誘導することができる。未精製油は、天然もしくは合成原料（例、石炭、頁岩、もしくはタール・サンド・ビチューメン）から直接に、それ以上の精製や処理を施すことなく得られた油である。未精製油の例は、これらに限定されるものではないが、レトルト操作により直接得られた頁岩油、蒸留により直接得られた石油、またはエステル化処理により直接得られたエステル油を含み、これらの各々はその後それ以上の処理なしで使用される。精製油は、一つ以上の性状を改善するために一以上の精製工程でさらに処理されたことを除いては、未精製油と同じである。これらの精製技術は、当業者に知られているが、例えば溶剤抽出、二次蒸留、酸もしくは塩基抽出、ろ過、パーコレート、水素処理、脱ろう等が挙げられる。再精製油は、精製油を得るのに用いたのと同様の方法で使用済みの油を処理することにより得られる。そのような再精製油は、再生もしくは再処理油としても知られていて、消費された添加剤や油分解生成物の除去を目的とする技術によりしばしばさらに処理される。
【００３８】
ろうの水素異性化から誘導された潤滑油基材油も、単独で、あるいは前記の天然および／または合成基材油と組み合わせて使用することができる。そのようなろう異性化油は、天然もしくは合成ろうまたはそれらの混合物を水素異性化触媒により水素異性化することにより生成する。
【００３９】
天然ろうは一般に、鉱物油を溶剤脱ろうすることにより回収された粗ろうであり、合成ろうは一般に、フィッシャー・トロプシュ法により生成されたろうである。
【００４０】
本発明の潤滑油組成物は、カルボン酸のアニオンを含む少なくとも一つの配位子を持つ一種以上のハロゲン不含油溶性チタン錯体も含む。一般に、上記のハロゲン不含油溶性チタン錯体は、チタン核と、カルボン酸のアニオンを含み上記の核に結合している少なくとも一つの配位子とを持つ。ある態様では、上記のハロゲン不含油溶性チタン錯体は、チタン核と、同一でも異なっていてもよいカルボン酸のアニオンを含み上記の核に結合している少なくとも二つの配位子を持つ。別の態様では、上記のハロゲン不含油溶性チタン錯体は、チタン核と、同一でも異なっていてもよいカルボン酸のアニオンを含み上記の核に結合している少なくとも三つの配位子とを持つ。さらに別の態様において、上記のハロゲン不含油溶性チタン錯体は、チタン核と、同一でも異なっていてもよいカルボン酸のアニオンを含み上記の核に結合している四つの配位子とを持つ。
【００４１】
ある態様では、上記のカルボン酸のアニオンを含む配位子は、カルボキシレート基とも呼ばれ、モノカルボン酸もしくは酸無水物から誘導される。ある態様では、有用なモノカルボン酸は脂肪酸を含む。別の態様では、有用なモノカルボン酸はＣ２乃至Ｃ３０のモノカルボン酸を含む。別の態様では、有用なモノカルボン酸はＣ５乃至Ｃ２５のモノカルボン酸を含む。さらに別の態様では、有用なモノカルボン酸はＣ１２乃至Ｃ２２のモノカルボン酸を含む。上記のモノカルボン酸は、飽和もしくは不飽和の、直鎖、分岐、もしくは環状の、脂肪族モノカルボン酸、芳香族モノカルボン酸、またはそれらの混合物であってもよい。上記のモノカルボン酸そのものを、天然資源、すなわち植物もしくは動物から誘導できる。モノカルボン酸の代表的な例は、これらに限定されるものではないが、カプロン酸、カプリル酸、カプリン酸、ラウリン酸、ミリスチン酸、パルミチン酸、ステアリン酸、アラキジン酸、オレイン酸、リノール酸、リノレン酸、シクロヘキサンカルボン酸、フェニル酢酸、安息香酸、ネオデカン酸、および以上述べたものの任意の混合物を含む。
【００４２】
ある態様では、一種以上の上記のカルボン酸のアニオンを含む配位子は、Ｃ４乃至Ｃ３０のジカルボン酸もしくは酸無水物から誘導される。ジカルボン酸の代表的な例は、アルキルおよびアルケニルコハク酸その他を含む。
【００４３】
本明細書が開示する上記の一種以上のハロゲン不含油溶性チタン錯体は、この技術で知られており、ゲレスト社のような供給源から市販品が入手でき、あるいは、この技術で知られている、例えば、米国特許第５２６０４６６号明細書に開示されている方法により容易に製造でき、上記の明細書の内容は参考のため本明細書の記載とする。例えば、本明細書に記載する上記の一種以上のハロゲン不含油溶性チタン錯体は、チタンアルコキシドとＣ２乃至Ｃ３０のモノカルボン酸との反応生成物として得ることができる。上記の反応生成物は、下記の式により表すことができる：
【００４４】
【化１】
2013513711.tif 000002
【００４５】
式中、Ｒ１、Ｒ２、Ｒ３、およびＲ４は、独立にＣ１乃至Ｃ２０のアルコキシ基、好ましくは独立にＣ３乃至Ｃ８のアルコキシ基、もしくはＣ２乃至Ｃ３０のモノカルボン酸アニオン基、もしくはＣ２乃至Ｃ３０のジカルボン酸アニオン基であり、Ｒ１、Ｒ２、Ｒ３、およびＲ４の少なくとも一つは、Ｃ２乃至Ｃ３０のモノカルボン酸アニオン基である。ある態様において、Ｒ１、Ｒ２、Ｒ３、およびＲ４の少なくとも二つは、独立にＣ２乃至Ｃ３０のカルボン酸アニオン基である。別の態様において、Ｒ１、Ｒ２、Ｒ３、およびＲ４の少なくとも三つは、独立にＣ２乃至Ｃ３０のモノカルボン酸アニオン基である。さらに別の態様において、Ｒ１、Ｒ２、Ｒ３、およびＲ４は、それぞれ独立に、Ｃ２乃至Ｃ３０のモノカルボン酸アニオン基である。
【００４６】
本発明で使用できるＣ１乃至Ｃ２０のアルコキシ基の代表的な例は、本明細書で定義したアルキル基が分子の残りの部分に酸素結合を介して結合しているものを含む。すなわち、一般式は−ＯＲ５であって、Ｒ５はＣ１乃至Ｃ２０のアルキル、Ｃ３乃至Ｃ２０のシクロアルキル、Ｃ３乃至Ｃ２０のシクロアルキルアルキル、Ｃ３乃至Ｃ２０のシクロアルケニル、Ｃ５乃至Ｃ２０のアリール、もしくはＣ５乃至Ｃ２０のアリールアルキルであり、それぞれ本明細書で定義した通りである。例としては、−ＯＣＨ３、−ＯＣ２Ｈ５、もしくは−ＯＣ６Ｈ５その他である。
【００４７】
本発明で使用できるＣ２乃至Ｃ３０のカルボン酸アニオン基の代表的な例は、本明細書で定義したカルボン酸基が分子の残りの部分に酸素結合を介して結合しているものを含む。すなわち、一般式は下記の通りである：
【００４８】
【化２】
2013513711.tif 000003
【００４９】
式中、Ｒ６はＣ２乃至Ｃ３０の炭化水素基である。ある態様において、Ｒ６はＣ５乃至Ｃ２５の炭化水素基である。ある態様において、Ｒ６はＣ１２乃至Ｃ２２の炭化水素基である。炭化水素基の代表的な例は、これらに限定されるものではないが、置換もしくは未置換のアルキルもしくはアルケニル基、置換もしくは未置換のシクロアルキル、シクロアルケニル、もしくはシクロアルキルアルキル基、および置換もしくは未置換のアリールもしくはアリールアルキル基を含む。
【００５０】
本発明で使用できる置換もしくは未置換のアルキル基の代表的な例は、炭素原子および水素原子を含み、１乃至約２０の炭素原子、好ましくは１乃至約８の炭素原子を有する直鎖もしくは分岐鎖のアルキル基（例、メチル、エチル、ｎ−プロピル、イソプロピル、ｎ−ブチル、ｎ−ペンチル等）その他を含む。
【００５１】
本発明で使用できる置換もしくは未置換のアルケニル基の代表的な例は、炭素原子および水素原子を含み、１乃至約２０の炭素原子、好ましくは１乃至約８の炭素原子を有し、少なくとも一つの炭素−炭素間二重結合を伴う直鎖もしくは分岐鎖のアルキル基（例、メチレン、エチレン、ｎ−プロピレン等）その他を含む。
【００５２】
本発明で使用できる置換もしくは未置換のシクロアルキル基の代表的な例は、約３乃至約２０の炭素原子を有する置換もしくは未置換の非芳香族性の単環式もしくは多環式の環系であって、例えば、シクロプロピル、シクロブチル、シクロペンチル、シクロヘキシル、架橋環基、もしくはスピロ二環式基（例、スピロ−（４，４）−ノン−２−イル）その他を含み、これらは任意に一つ以上のヘテロ原子（例、ＯおよびＮその他）を含む。
【００５３】
本発明で使用できる置換もしくは未置換のシクロアルキルアルキル基の代表的な例は、約３乃至約２０の炭素原子を含む置換もしくは未置換の環状構造含有基がアルキル基に直接結合しており、上記のアルキル基が、さらに上記のアルキル基の任意の炭素原子においてモノマーの主構造に結合し、その結果として安定な構造が創出されており、例えば、シクロプロピルメチル、シクロブチルエチル、シクロペンチルエチルその他を含む。上記の環状構造は、任意に一つ以上のヘテロ原子（例、ＯおよびＮその他）を含むことができる。
【００５４】
本発明で使用できる置換もしくは未置換のシクロアルケニル基の代表的な例は、少なくとも一つの炭素−炭素間二重結合を伴う約３乃至約２０の炭素原子を含む置換もしくは未置換の環状構造含有基、例えば、シクロプロペニル、シクロブテニル、シクロペンテニルその他を含む。上記の環状構造は、任意に一つ以上のヘテロ原子（例、ＯおよびＮその他）を含むことができる。
【００５５】
本発明で使用できる置換もしくは未置換のアリール基の代表的な例は、約５乃至約２０の炭素原子を含む置換もしくは未置換の単環式芳香族もしくは多環式芳香族の基、例えば、フェニル、ナフチル、テトラヒドロナフチル、インデニル、ビフェニルその他を含み、それらは任意に一つ以上のヘテロ原子（例、ＯおよびＮその他）を含む。
【００５６】
本発明で使用できる置換もしくは未置換のアリールアルキル基の代表的な例は、本明細書で定義した置換もしくは未置換のアリール基が本明細書で定義したアルキル基に結合しているもの（例、−ＣＨ２Ｃ６Ｈ５、−Ｃ２Ｈ５Ｃ６Ｈ５その他）を含み、上記のアリール基は任意に一つ以上のヘテロ原子（例、ＯおよびＮその他）を含むことができる。
【００５７】
上記の「置換アルキル」、「置換シクロアルキル」、「置換シクロアルキルアルキル」、「置換シクロアルケニル」、「置換アリール」、および「置換アリールアルキル」における置換基は、同一でも異なっていてもよい一つ以上の置換基であって、例えば、水素原子、ヒドロキシ、ハロゲン原子、カルボキシル、シアノ、ニトロ、オキソ（＝Ｏ）、チオ（＝Ｓ）、置換もしくは未置換のアルキル、置換もしくは未置換のアルコキシ、置換もしくは未置換のアルケニル、置換もしくは未置換のアルキニル、置換もしくは未置換のアリール、置換もしくは未置換のアリールアルキル、置換もしくは未置換のシクロアルキル、置換もしくは未置換のシクロアルケニル、置換もしくは未置換のアミノ、置換もしくは未置換のアリール、置換もしくは未置換のヘテロアリール、置換ヘテロシクロアルキル環、置換もしくは未置換のヘテロアリールアルキル、置換もしくは未置換のヘテロ環、置換もしくは未置換のグアニジン、−ＣＯＯＲｘ、−Ｃ（Ｏ）Ｒｘ、−Ｃ（Ｓ）Ｒｘ、−Ｃ（Ｏ）ＮＲｘＲｙ、−Ｃ（Ｏ）ＯＮＲｘＲｙ、−ＮＲｘＣＯＮＲｙＲｚ、−Ｎ（Ｒｘ）ＳＯＲｙ、−Ｎ（Ｒｘ）ＳＯ２Ｒｙ、−（＝Ｎ−Ｎ（Ｒｘ）Ｒｙ）、−ＮＲｘＣ（Ｏ）ＯＲｙ、−ＮＲｘＲｙ、−ＮＲｘＣ（Ｏ）Ｒｙ−、−ＮＲｘＣ（Ｓ）Ｒｙ、−ＮＲｘＣ（Ｓ）ＮＲｙＲｚ、−ＳＯＮＲｘＲｙ−、−ＳＯ２ＮＲｘＲｙ−、−ＯＲｘ、−ＯＲｘＣ（Ｏ）ＮＲｙＲｚ、−ＯＲｘＣ（Ｏ）ＯＲｙ−、−ＯＣ（Ｏ）Ｒｘ、−ＯＣ（Ｏ）ＮＲｘＲｙ、−ＲｘＮＲｙＣ（Ｏ）Ｒｚ、−ＲｘＯＲｙ、−ＲｘＣ（Ｏ）ＯＲｙ、−ＲｘＣ（Ｏ）ＮＲｙＲｚ、−ＲｘＣ（Ｏ）Ｒｘ、−ＲｘＯＣ（Ｏ）Ｒｙ、−ＳＲｘ、−ＳＯＲｘ、−ＳＯ２Ｒｘ、−ＯＮＯ２を含む。上記の各基におけるＲｘ、Ｒｙ、およびＲｚは同一でも異なっていてもよく、水素原子、置換もしくは未置換のアルキル、置換もしくは未置換のアルコキシ、置換もしくは未置換のアルケニル、置換もしくは未置換のアルキニル、置換もしくは未置換のアリール、置換もしくは未置換のアリールアルキル、置換もしくは未置換のシクロアルキル、置換もしくは未置換のシクロアルケニル、置換もしくは未置換のアミノ、置換もしくは未置換のアリール、置換もしくは未置換のヘテロアリール、置換ヘテロシクロアルキル環、置換もしくは未置換のヘテロアリールアルキル、または置換もしくは未置換のヘテロ環である。
【００５８】
アルコキシド基の代表的な例は、メトキシド、エトキシド、プロポキシド、イソプロポキシド、ブトキシド、２−エチルヘキソキシド、イソブトキシド、４−メチル−２−ペントキシド、ヘキソキシド、ペントキシド、イソペントキシド、２−［Ｎ，Ｎ−（２−ヒドロキシエチル）−アミノ］−エトキシドその他、およびそれらの混合物を含む。
【００５９】
上記の一種以上のハロゲン不含油溶性チタン錯体は、いかなるジアルキルジチオリン酸亜鉛も含まない潤滑油組成物に添加した場合において、耐摩耗性の保護機能を有利に発現する。一般に、潤滑油組成物における上記の一種以上のハロゲン不含油溶性チタン錯体の量は、潤滑油組成物の全質量に基づきＴｉ金属として、百万分の約１０部（約１０ｐｐｍ）乃至約３０００ｐｐｍの範囲である。ある態様では、潤滑油組成物における上記の一種以上のハロゲン不含油溶性チタン錯体の量は、潤滑油組成物の全質量に基づきＴｉ金属として、約５０乃至約２５００ｐｐｍの範囲である。ある態様では、潤滑油組成物における上記の一種以上のハロゲン不含油溶性チタン錯体の量は、潤滑油組成物の全質量に基づきＴｉ金属として、約３００乃至約２０００ｐｐｍの範囲である。ある態様では、潤滑油組成物における上記の一種以上のハロゲン不含油溶性チタン錯体の量は、潤滑油組成物の全質量に基づき、約６００乃至約１８００ｐｐｍの範囲である。ある態様では、潤滑油組成物における上記の一種以上のハロゲン不含油溶性チタン錯体の量は、潤滑油組成物の全質量に基づき、約１６００ｐｐｍである。
【００６０】
本発明のチタン錯体、並びに本発明において有用な他の添加剤は、添加剤パッケージもしくは濃縮物として供することができ、上記の錯体もしくは添加剤を、実質的に不活性で一般に液状の有機希釈剤、例えば、鉱物油、ナフサ、ベンゼン、トルエン、もしくはキシレンに導入して、添加剤濃縮物とする。このような濃縮物は、通常約２０質量％乃至約８０質量％の上記のような希釈剤を含む。一般に、１００℃において約４乃至約８．５ｃＳｔ、好ましくは１００℃において約４乃至約６ｃＳｔの粘度を有する中性油を上記の希釈剤として使用する。ただし、合成油、並びに上記の添加剤および最終的な潤滑油と相溶性がある他の有機液体も使用することができる。
【００６１】
本発明の潤滑油組成物は、さらに一種以上の分散剤を含む。潤滑油組成物において用いられる上記の一種以上の分散剤は、当業者に知られている任意の分散剤であってもよい。適切な分散剤は、一種以上の無灰分散剤化合物を含み、一般に使用中の酸化によって生じる不溶解物質を懸濁状態で維持するために使用され、それによりスラッジの凝結および金属部分への沈澱もしくは堆積を防止する。無灰分散剤は一般に、分散すべき微粒子と会合できる官能基を有する油溶性重合体炭化水素骨格を含む。多くの種類の無灰分散剤が、この技術分野で知られている。
【００６２】
無灰分散剤の代表的な例は、これらに限定されるものではないが、アミン、アルコール、アミド、もしくはエステルの極性部分が連結基を介してポリマーの主鎖に結合しているものを含む。本発明の無灰分散剤は、例えば、長鎖炭化水素置換モノおよびジカルボン酸もしくはそれらの無水物の油溶性の塩、エステル、アミノ−エステル、アミド、イミド、およびオキサゾリン；長鎖炭化水素のチオカルボキシレート誘導体、直接結合しているポリアミンを有する長鎖脂肪族炭化水素；および長鎖置換フェノールをホルムアルデヒドおよびポリアルキレンポリアミンで縮合して生成したマンニッヒ縮合生成物から選択できる。
【００６３】
カルボン酸系分散剤は、少なくとも約３４、好ましくは少なくとも約５４の炭素原子を含むカルボン酸系アシル化剤（酸、無水物、エステル等）と、窒素含有化合物（例えば、アミン）、有機ヒドロキシ化合物（例えば、一価および多価のアルコールを含む脂肪族化合物、もしくはフェノールおよびナフトールを含む芳香族化合物）、および／または塩基性無機物質との反応生成物である。これらの反応生成物は、イミド、アミド、およびエステルを含む。
【００６４】
コハク酸イミド分散剤は、カルボン酸系分散剤の一種である。それらは、炭化水素置換コハク酸アシル化剤を、有機ヒドロキシ化合物、もしくは窒素原子に結合している少なくとも一つの水素原子を含むアミン、もしくは上記のヒドロキシ化合物とアミンとの混合物と反応させることにより生成する。用語「コハク酸アシル化剤」は炭化水素置換コハク酸もしくはコハク酸生成化合物を意味し、後者は酸そのものを包含する。そのような物質は一般に、炭化水素置換コハク酸、無水物、（半エステルを含む）エステル、およびハロゲン化物を含む。
【００６５】
コハク酸起源の分散剤は、広く様々な化学構造を有している。コハク酸起源の分散剤の一つの分類は、次の式で表すことができる：
【００６６】
【化３】
2013513711.tif 000004
【００６７】
式中、Ｒ７は、それぞれ独立に炭化水素基、例えば、ポリオレフィン誘導基である。一般に、上記の炭化水素基はアルキル基、例えば、ポリイソブチル基である。別に表示すると、上記のＲ７基は約４０乃至約５００の炭素原子を含むことができ、これらの原子は脂肪族の状態で存在できる。Ｒ８はアルキレン基、一般にエチレン（Ｃ２Ｈ４）基である。コハク酸イミド分散剤の例は、例えば、米国特許第３１７２８９２号、同第４２３４４３５号、および同第６１６５２３５号の各明細書に記載されているものを含む。
【００６８】
置換基を誘導できるポリアルケンは、一般に２乃至約１６の炭素原子、通常は２乃至６の炭素原子を有する重合性オレフィンモノマーのホモポリマーおよびインターポリマーである。コハク酸アシル化剤と反応して、カルボン酸系分散剤組成物を生成する前記のアミンは、モノアミンもしくはポリアミンのいずれでもよい。
【００６９】
コハク酸イミド分散剤が、そのように呼ばれるのは、それらが一般にイミドとして機能する状態の窒素原子を主に含むためであるが、アミドとしての機能がアミン塩、アミド、イミダゾリン、並びにそれらの混合物の状態に存在していてもよい。コハク酸イミド分散剤を製造するため、任意に実質的に不活性な有機液状溶媒／希釈剤の存在下で、一種以上のコハク酸生成化合物と一種以上のアミンとを加熱し、一般に水を除去する。反応温度は、約８０℃乃至上記の混合物もしくは生成物の分解温度の範囲（例、約１００℃乃至約３００℃）とすることができる。本発明のコハク酸イミド分散剤を製造するための操作について、さらに詳細な内容と例は、例えば、米国特許第３１７２８９２号、同第３２１９６６６号、同第３２７２７４６号、同第４２３４４３５号、同第６１６５２３５号、および同第６４４０９０５号の各明細書に記載されているものを含む。
【００７０】
適切な無灰分散剤はアミン分散剤も含むことができ、アミン分散剤は比較的高分子量のハロゲン化脂肪族とアミンとの反応生成物であり、好ましくはポリアルキレンポリアミンである。そのようなアミン分散剤の例は、例えば、米国特許第３２７５５５４号、同第３４３８７５７号、同第３４５４５５５号、および同第３５６５８０４号の各明細書に記載されているものを含む。
【００７１】
適切な無灰分散剤は、さらに「マンニッヒ分散剤」を含み、これはアルキル基が少なくとも約３０の炭素原子を含むアルキルフェノールとアルデヒド（特にホルムアルデヒド）およびアミン（特にポリアルキレンポリアミン）との反応生成物である。そのような分散剤の例は、例えば米国特許第３０３６００３号、同第３５８６６２９号、同第３５９１５９８号、および同第３９８０５６９号の各明細書に記載されているものを含む。
【００７２】
窒素含有無灰（金属フリー）分散剤は塩基性であり、それらを添加し、さらに硫酸灰を加えることがない潤滑油組成物のＴＢＮに寄与する。
【００７３】
適切な無灰分散剤は、後処理された無灰分散剤、例えば後処理されたコハク酸イミドであってもよい（例、ボレートもしくはエチレンカーボネートを含む後処理方法、例えば米国特許第４６１２１３２号および同第４７４６４４６号の各明細書に記載；その他、並びに他の後処理方法）。カーボネート処理されたアルケニルコハク酸イミドは、約４５０乃至約３０００、好ましくは約９００乃至約２５００、さらに好ましくは約１３００乃至約２４００、最も好ましくは約２０００乃至約２４００の分子量を有するポリブテン、並びにこれらの分子量を有する混合物から誘導されるポリブテンコハク酸イミドである。好ましくは米国特許第５７１６９１２号明細書に記載されているように、反応条件下で、ポリブテンコハク酸誘導体、不飽和酸性試薬とオレフィンとの不飽和酸性試薬コポリマー、およびポリアミンの混合物を反応させることにより製造される。上記の明細書の内容は、参考のため本明細書の記載とする。
【００７４】
適切な無灰分散剤は重合体であってもよく、この重合体は、油に可溶性にするためのモノマー、例えば、メタクリル酸デシル、ビニルデシルエーテル、および高分子量オレフィンと、極性置換基を含むモノマーとのインターポリマーである。重合体分散剤の例は、例えば、米国特許第３３２９６５８号、同第３４４９２５０号、および同第３６６６７３０号の各明細書に記載されているものを含む。
【００７５】
本発明の好ましい態様の一つにおいて、潤滑油組成物で使用するための無灰分散剤は、約７００乃至約２３００の数平均分子量を有するポリイソブテニル基から誘導されるビスコハク酸イミドである。本発明の潤滑油組成物において使用するための分散剤は、好ましくは非重合体（例、モノもしくはビスコハク酸イミド）である。
【００７６】
一般に、上記の一種以上の分散剤は、潤滑油組成物において、潤滑油組成物の全質量に基づき、約０．５乃至約８質量％の範囲の量で存在する。ある態様において、上記の一種以上の分散剤は、潤滑油組成物において、潤滑油組成物の全質量に基づき、約１乃至約５質量％の範囲の量で存在する。
【００７７】
本発明の潤滑油組成物は、さらに一種以上の清浄剤を含む。潤滑油組成物において使用する清浄剤は、当業者に知られている任意の清浄剤でよい。適切な清浄剤一種以上の金属含有清浄剤化合物を含み、一般に、堆積物を削減もしくは除くための清浄剤と、酸中和剤もしくはさび止め剤との双方の機能を有し、これにより摩耗と腐食とを軽減し、エンジンの寿命を延ばす。清浄剤は、一般に長い疎水性の尾部を伴う極性の頭部を含み、極性の頭部は酸性有機化合物の金属塩を含む。
【００７８】
本発明に従う潤滑油組成物は、一種以上の清浄剤を含むことができる。清浄剤は通常は塩、特に過塩基性の塩である。過塩基性の塩もしくは過塩基性の物質は、金属と該金属に反応する特定の酸性有機化合物との化学量論的な存在量よりも過剰な金属含有量を特徴とする単相で均一なニュートン系である。過塩基性物質は、少なくとも一種の不活性有機溶媒（例えば、鉱物油、ナフサ、トルエン、キシレン）中、化学量論的に過剰な金属塩基および促進剤の存在下、酸性物質（典型的には、二酸化炭素のような無機酸もしくは低級カルボン酸）を、酸性有機化合物を含む混合物と反応させることにより製造される。
【００７９】
清浄剤を製造するために有用な酸性有機化合物は、カルボン酸、スルホン酸、リン含有酸、フェノール、およびそれらの混合物を含む。好ましくは、酸性有機化合物はカルボン酸もしくはスルホン酸、および炭化水素置換サリチル酸である。
【００８０】
カルボキシレート清浄剤（例、サリチレート）は、芳香族カルボン酸を、酸化物もしくは水酸化物のような適切な金属化合物と反応させることにより製造できる。次に、中性もしくは過塩基性の生成物は、この技術において良く知られている方法により得ることができる。芳香族カルボン酸の芳香族部分は、窒素原子および酸素原子のようなヘテロ原子を一つ以上含むことができる。好ましくは、芳香族部分は炭素原子のみである。より好ましくは、芳香族部分はベンゼン部分のように６以上の炭素原子を含む。芳香族カルボン酸は、一つ以上のベンゼン部分のように、一つ以上の芳香族部分を含むことができ、任意に一緒になって縮合もしくはアルキレン架橋を介して連絡してもよい。芳香族カルボン酸の代表的な例は、サリチル酸類およびその硫化誘導体（例えば、炭化水素置換サリチル酸およびその誘導体）を含む。例えば、炭化水素置換サリチル酸の硫化処理は、当業者に公知の方法で実施できる。例えば、炭化水素置換サリチル酸の硫化処理は、当業者に公知の方法で実施できる。サリチル酸は一般に、フェノキシドのカルボキシル化（例えば、コルベ−シュミット法）によって製造される。その場合、サリチル酸は通常、カルボキシル化されなかったフェノールとの混合物中で希釈剤中から得られる。
【００８１】
フェノールおよび硫化フェノールの金属塩は、酸化物もしくは水酸化物のような適切な金属化合物との反応により製造される。中性もしくは過塩基性の生成物は、この分野で良く知られている方法により得ることができる。例えば、硫化フェノールは、フェノールを硫黄または硫化水素、モノハロゲン化硫黄、もしくはジハロゲン化硫黄のような硫黄含有化合物と反応させ、二つ以上のフェノールが硫黄含有結合により連結されている化合物の混合物として生成物を生じさせることにより製造できる。
【００８２】
過塩基性塩の製造に有用な金属化合物は、一般に元素の周期律表のＩ族もしくはＩＩ族の金属の化合物である。好ましくは、金属化合物はＩＩ族の金属であり、ＩＩａ族のアルカリ土類金属（例、マグネシウム、カルシウム、ストロンチウム、バリウム）のみではなく、亜鉛やカドミウムのようなＩＩｂ族の金属も含む。ＩＩ族の金属は、好ましくはマグネシウム、カルシウム、バリウム、もしくは亜鉛であり、さらに好ましくはマグネシウムもしくはカルシウムであり、最も好ましくはカルシウムである。過塩基性清浄剤の例は、限定されるものではないが、カルシウムスルホネート、カルシウムフェネート、カルシウムサリチレート、カルシウムステアレート、およびそれらの混合物を含む。
【００８３】
本発明の潤滑油組成物中で使用するのに適した清浄剤濃縮物を、低い過塩基性（例、約１００よりも低いＢＮを有する過塩基性清浄剤濃縮物）にすることができる。そのような低過塩基性清浄剤濃縮物のＢＮは、約５乃至約５０、もしくは約１０乃至約３０、もしくは約１５乃至約２０にすることができる。あるいは、本発明の潤滑油組成物中で使用するのに適した過塩基性清浄剤濃縮物を、高い過塩基性（例、約１００を超えるＢＮを有する過塩基性清浄剤）にすることができる。そのような高過塩基性清浄剤濃縮物のＢＮは、約１００乃至約４５０、もしくは約２００乃至約３５０、もしくは約２５０乃至約２８０とすることができる。約１７のＢＮを有する低過塩基性スルホン酸カルシウム清浄剤濃縮物と、約１２０のＢＮを有する高過塩基性硫化カルシウムフェネート濃縮物とは、本発明の潤滑油組成物中で使用する過塩基性清浄剤濃縮物を代表する二つの例である。
【００８４】
本発明の潤滑油組成物は、一種以上の清浄剤濃縮物を含むことができる。複数の過塩基性清浄剤濃縮物は、いずれも低ＢＮ清浄剤濃縮物であっても、いずれも高ＢＮ清浄剤濃縮物であっても、あるいは両者の混合物であってもよい。例えば、本発明の潤滑油組成物は、約１００乃至約４５０のＢＮを有する過塩基性アルカル土類金属スルホネートもしくはフェネート清浄剤濃縮物である第一の金属含有清浄剤と約１０乃至約５０のＢＮを有する過塩基性アルカリ土類金属スルホネートもしくはフェネート清浄剤濃縮物である第二の金属含有清浄剤濃縮物とを含むことができる。
【００８５】
潤滑油組成物における使用に適切な清浄剤は、例えばフェネート／サリチレート、スルホネート／フェネート、スルホネート／サリチレート、スルホネート／フェネート／サリチレートその他のような「ハイブリッド」清浄剤も含む。ハイブリッド清浄剤の例は、例えば米国特許第６１５３５６５号、同第６２８１１７９号、同第６４２９１７８号、および同第６４２９１７９号の各明細書に記載されているものを含む。
【００８６】
一般に、上記の一種以上の清浄剤は潤滑油組成物中に、潤滑油組成物の全質量に基づき、約０．５乃至約８質量％の範囲の量で存在する。ある態様において、上記の一種以上の清浄剤は潤滑油組成物中に、潤滑油組成物の全質量に基づき、約１乃至約５質量％の範囲の量で存在する。二種類の金属含有清浄剤を用いる場合、潤滑油組成物の全質量に基づき、第一の金属含有清浄剤は潤滑油組成物中に約０．２乃至約５質量％の範囲の量で存在し、第二の金属含有清浄剤は潤滑油組成物中に約０．２乃至約５質量％の範囲の量で存在する。
【００８７】
本発明の潤滑油組成物は、任意の機能を付与するために、その他の従来からの添加剤を含むことができ、それにより、そのような添加剤が分散もしくは溶解している最終的な潤滑油組成物を生成する。例えば、潤滑油組成物には、酸化防止剤、ジアルキルジチオリン酸亜鉛以外の耐摩耗剤、さび止め剤、曇り除去剤、抗乳化剤、金属不活性化剤、摩擦緩和剤、流動点降下剤、消泡剤、補助溶媒、パッケージ混合剤、腐食防止剤、染料、極圧剤その他、およびそれらの混合物を配合することができる。上記の添加剤は、様々な種類が知られており、市販品が利用できる。このような添加剤もしくはそれらの類似化合物は、本発明の潤滑油組成物の製造のため、通常の配合操作によって用いることができる。
【００８８】
酸化防止剤の例は、これらに限定されるものではないが、アミン型（例、ジフェニルアミン、フェニル−アルファ−ナフチル−アミン、Ｎ，Ｎ−ジ（アルキルフェニル）アミン類、およびアルキル化フェニレンジアミン類）；フェノール系、例えば、ＢＨＴ、立体障害のあるアルキルフェノール類（例、２，６−ジ−ｔｅｒｔ−ブチルフェノール、２，６−ジ−ｔｅｒｔ−ブチル−ｐ−クレゾール、および２，６−ジ−ｔｅｒｔ−ブチル−４−（２−オクチル−３−プロパン酸）フェノール）；およびそれらの混合物を含む。
【００８９】
さび止め剤の例は、これらに限定されるものではないが、非イオン性ポリオキシアルキレン界面活性剤、例えばポリオキシエチレンラウリルエーテル、ポリオキシエチレン高級アルコールエーテル、ポリオキシエチレンノニルフェニルエーテル、ポリオキシエチレンオクチルフェニルエーテル、ポリオキシエチレンオクチルステアリルエーテル、ポリオキシエチレンオレイルエーテル、ポリオキシエチレンソルビトールモノステアレート、ポリオキシエチレンソルビトールモノオレエート、およびポリエチレングリコールモノオレエート；ステアリン酸および他の脂肪酸；ジカルボン酸；金属石鹸；脂肪酸アミン塩；重質スルホン酸の金属塩；多価アルコールの部分カルボン酸エステル；リン酸エステル；（短鎖）アルケニルコハク酸；それらの部分エステルおよびそれらの窒素含有誘導体；合成アルカリールスルホネート、例えば、金属ジノニルナフタレンスルホネート；その他、およびそれらの混合物を含む。
【００９０】
摩擦緩和剤の例は、これらに限定されるものではないが、アルコキシル化脂肪族アミン；ホウ酸化脂肪族エポキシド；脂肪族ホスファイト、脂肪族エポキシド、脂肪族アミン、ホウ酸化アルコキシル化脂肪族アミン、脂肪酸の金属塩、脂肪酸アミド、グリセロールエステル、ホウ酸化グリセロールエステル；および米国特許第６３７２６９６号明細書に開示されている脂肪族イミダゾリン、その開示内容も参照のため本明細書の記載とする；Ｃ４乃至Ｃ７５、好ましくはＣ６乃至Ｃ２４、最も好ましくはＣ６乃至Ｃ２０の脂肪酸エステルと、アンモニアおよびアルカノールアミンからなる群より選ばれた窒素含有化合物との反応生成物から得られた摩擦緩和剤、その他、およびそれらの混合物を含む。
【００９１】
消泡剤の例は、これらに限定されるものではないが、アルキルメタクリレートポリマー；ジメチルシリコーンポリマー、その他、およびそれらの混合物を含む。
【００９２】
流動点降下剤の例は、これらに限定されるものではないが、ポリメタクリレート、アルキルアクリレートポリマー、アルキルメタクリレートポリマー、ジ（テトラ−パラフィンフェノール）フタレート、テトラ−パラフィンフェノールの縮合物、塩素化パラフィンとナフタレンとの縮合物、およびそれらの混合物を含む。ある態様では、流動点降下剤はエチレン−ビニルアセテートコポリマー、塩素化パラフィンとフェノールとの縮合物、ポリアルキルスチレン、その他、およびそれらの組合せを含む。流動点降下剤の量は、約０．０１質量％乃至約１０質量％の範囲で変更することができる。
【００９３】
抗乳化剤の例は、これらに限定されるものではないが、アニオン性界面活性剤（例、アルキル−ナフタレンスルホネート、アルキルベンゼンスルホネート等）、非イオン性アルコキシル化アルキルフェノール樹脂、アルキレンオキシドポリマー（例、ポリエチレンオキシド、ポリプロピレンオキシド、エチレンオキシド、プロピレンオキシド等のブロックコポリマー）、油溶性酸のエステル、ポリオキシエチレンのソルビタンエステル、その他、およびそれらの組合せを含む。抗乳化剤の量は、約０．０１質量％乃至約１０質量％の範囲で変更することができる。
【００９４】
腐食防止剤の例は、これらに限定されるものではないが、ドデシルコハク酸、リン酸エステル、チオホスフェート、アルキルイミダゾリン、サルコシン、その他、およびそれらの組合せの半エステルもしくはアミドを含む。腐食防止剤の量は、約０．０１質量％乃至約５質量％の範囲で変更することができる。
【００９５】
極圧剤の例は、これらに限定されるものではないが、硫化した動物もしくは植物の脂肪もしくは油、硫化した動物もしくは植物の脂肪酸エステル、完全にもしくは部分的にエステル化したリンの３価もしくは５価の酸のエステル、硫化オレフィン、ジ炭化水素ポリスルフィド、硫化したディールス−アルダー付加物、硫化ジシクロペンタジエン、脂肪酸エステルおよびモノ不飽和オレフィンの硫化もしくは共硫化混合物、脂肪酸の共硫化混合物、脂肪酸エステルおよびアルファ−オレフィン、官能基置換ジ炭化水素ポリスルフィド、チアアルデヒド、チアケトン、エピチオ化合物、硫黄−含有アセタール誘導体、テルペンおよび非環状オレフィンの共硫化混合物、およびポリスルフィドオレフィン生成物、リン酸エステルもしくはチオリン酸エステルのアミン塩、その他、およびそれらの組合せを含む。極圧剤の量は、約０．０１質量％乃至約５質量％の範囲で変更することができる。
【００９６】
以上述べた添加剤をそれぞれ使用する場合は、潤滑剤に望ましい性質を与えるため機能的に有効な量で使用する。すなわち、例えば、添加剤が摩擦緩和剤である場合、この摩擦緩和剤の機能的な有効量は、必要とする摩擦機能を潤滑剤に付与するために充分な量である。一般に、これらの添加剤それぞれを使用する際の濃度は、潤滑油組成物の全質量に基づき約０．００１％乃至約２０質量％、そしてある態様では約０．０１％乃至約１０質量％の範囲である。
【００９７】
本発明の潤滑油組成物の最終用途は例えば、クロスヘッドディーゼルエンジンの舶用シリンダー潤滑油、自動車や鉄道その他のクランクケース潤滑油、製鋼所その他の重機械用潤滑油、あるいは軸受その他のためのグリースであってよい。ある態様において、本発明の潤滑油組成物は、排ガス再循環装置（ＥＧＲ）、触媒コンバータおよび微粒子捕集装置のうちの少なくとも一つを備えた、大型車両用ディーゼルエンジンまたは圧縮点火ディーゼルエンジンなどのディーゼルエンジンに潤滑作用を与えるために使用される。
【００９８】
潤滑油組成物が液体であるか固体であるかは通常、増粘剤が存在するか否かに係っている。代表的な増粘剤としては、酢酸ポリ尿素類、およびステアリン酸リチウムその他が挙げられる。
【００９９】
本発明の別の態様において、本明細書が開示する上記の一種以上のハロゲン不含油溶性チタン錯体は、添加剤パッケージとして提供することができる。添加剤パッケージは、一般に上記の様々な他の添加剤および希釈剤を一種以上、必要とされる量かつ必要量の基油と直接組み合わせることを容易にする比率で含む。
【０１００】
以下の限定的ではない実施例は、本発明を説明するものである。
【実施例】
【０１０１】
［比較例Ａ］
基準となる自動車のエンジン油を、ジアルキルジチオリン酸亜鉛なしで、おおよそ８０質量％のシェブロン２２０Ｎとシェブロン６００Ｎとの７：１混合物からなるＩＩ種基油、８．１質量％のポリイソブチレンコハク酸イミド分散剤の油濃縮物の混合物、２．２質量％の高および低ＢＮを有する清浄剤の油濃縮物の混合物、モリブデン抑制剤、アミン系およびフェノール系の酸化防止剤の混合物、エチレン−プロピレンコポリマー粘度指数向上剤、および消泡剤を含むように生成した。以下の実施例において、チタン化合物は、最終潤滑油中に、おおよそ１６００ｐｐｍとなるＴｉの量で加えた。
【０１０２】
得られた基準となる潤滑油の処方は、ＡＳＴＭ  Ｄ８７４により測定される０．６３質量％の硫酸灰分量、０質量％のリン含有量、０．１６質量％の硫黄含有量を有していた。
【０１０３】
［実施例１］
基準となる潤滑油の処方を、比較例Ａと同じ添加剤、基油、および処理比を含むように生成した。下記の方法で製造したチタンジオレエート・イソプロポキシドを、上記の基準となる潤滑油の処方に対して２．４質量％で処方した。
【０１０４】
オーバーヘッド撹拌器、温度プローブ、および冷却器付きのディーン・スターク・トラップを付けた冷却器を、２５０ｍＬの四つ口丸底フラスコに取り付けた。オレイン酸（７９．４４ｇ、０．２８１モル）を反応器に加え、室温で窒素を流通させながら撹拌した。次に、チタンイソプロポキシド（３９．９７ｇ、０．０１４０モル）を、滴下漏斗を用いて滴下して加えた。この間に、反応物が徐々に無色から濃い黄色に変化した。次に、反応を１４０℃まで加熱させ、２時間保った。さらに２時間、５０ｍｍＨｇで吸引した。最終生成物中のチタンを測定したところ、６．５７質量％であった。
【０１０５】
得られた潤滑油組成物は、ＡＳＴＭ  Ｄ８７４により測定される０．８８質量％の硫酸灰分量、０質量％のリン含有量、０．１５質量％の硫黄含有量を有していた。
【０１０６】
［実施例２］
基準となる潤滑油の処方を、比較例Ａと同じ添加剤、基油、および処理比を含むように生成した。実施例１に開示した手順と類似の方法で製造したトリイソステアリル・イソプロポキシドチタン（ＩＶ）錯体を、上記の基準となる潤滑油の処方に対して３．１質量％で処方した。
【０１０７】
得られた潤滑油組成物は、ＡＳＴＭ  Ｄ８７４により測定される０．８８質量％の硫酸灰分量、０質量％のリン含有量、０．１５質量％の硫黄含有量を示した。
【０１０８】
［比較例Ｂ］
基準となる潤滑油の処方を、比較例Ａと同じ添加剤、基油、および処理比を含むように生成した。チタン（ＩＶ）イソプロポキシドを、上記の基準となる潤滑油の処方に対して１質量％で処方した。
【０１０９】
得られた潤滑油組成物は、ＡＳＴＭ  Ｄ８７４により測定される０．９２質量％の硫酸灰分量、０質量％のリン含有量、０．１５質量％の硫黄含有量を示した。
【０１１０】
［比較例Ｃ］
基準となる潤滑油の処方を、比較例Ａと同じ添加剤、基油、および処理比を含むように生成した。二級ＺｎＤＴＰを、上記の基準となる潤滑油の処方に対して１９ミリモルＺｎ／ｋｇ潤滑油で処方した。
【０１１１】
得られた潤滑油組成物は、ＡＳＴＭ  Ｄ８７４により測定される０．９３質量％の硫酸灰分量、０．１３質量％のリン含有量、および０．４８質量％の硫黄含有量を示した。
【０１１２】
（性能試験）
実施例１および２の潤滑油組成物と比較例Ａ〜Ｃの潤滑油組成物との摩耗防止性能を、「ディーゼルエンジン内のすすによる摩耗」Ｅ．Ｓ．ヤマグチ、Ｍ．ウンターマン、Ｓ．Ｈ．ロビー、Ｐ．Ｒ．リアソン、およびＳ．Ｗ．イーのジャーナル・オブ・エンジニアリング・トライボロジー２２０（Ｊ５）、２００６年８月によりシェブロン社が変更したＰＣＳ  ＭＴＭベンチテストを用いて評価した。この試験では、エンジンのすすを加えた試験油で潤滑している回転中の金属ディスクを、固定した金属ボールに擦り付けた。摩耗による傷が、固定した金属ボール上に生じる。摩耗による傷の直径を測定し、記録する。摩耗による傷が低レベルであることは、優れた摩耗防止性能を有する油を示すと見ることができる。
【０１１３】
試験油は、試験潤滑油に、９質量％のエンジンのすすを混合して製造した。すすは、試験潤滑油とホモジナイザー中で混合した。エンジン試験設備のオーバーヘッド回収システムから得られたエンジンのすすを、この試験に使用した。すすはペンタンを用いてスラリーとして、試験潤滑油に加える前に、焼結ガラス製の漏斗を通してろ過し、窒素雰囲気下の吸引オーブン内で乾燥し、最大で５０メッシュ（３００μｍ）となるまで粉砕した。この作業の目的は、最新のＥＧＲエンジンに見られるような研磨摩耗を引き起こす再現性のある粒子を製造することであった。
【０１１４】
上記のＰＣＳ  ＭＴＭ装置は、装置に付随していたピンホルダーを、１／４インチの直径を有するファレックス社の５２１００スチール試験ボールに（特製のホルダーと共に）置き換えることにより変更した［例えば、ヤマグチ、Ｅ．Ｓ．、「変更されたＭＴＭ摩擦計を用いる摩擦および摩耗の測定」ＩＰコム・ジャーナル７、２巻、９、５７〜５８頁（２００２年８月）、ＩＰＣＯＭ番号０００００９１１７Ｄ参照］。装置は、ピン・オン・ディスク方式で使用し、すべり条件で作動させた。特製のホルダー内でボールを堅く固定して実施し、それにより、ディスクのすべり方向に対して、ボールの遊びが１°しかないようにした。条件を表１に示す。
【０１１５】
表１
ＭＴＭの試験条件
──────────────────
負荷          １４Ｎ
初期接触圧力  １．５３ＧＰａ
温度          １１６℃
摩擦の組合せ  ５２１００／５２１００
──────────────────
速度          ｍｍ／秒        分
──────────────────
３８００      １０
２０００      １０
１０００      １０
１００      １０
２０      １０
１０      １０
５      １０
──────────────────
時間の長さ                  ７０分
ディーゼルエンジンのすす      ９％
──────────────────
【０１１６】
試験試料を準備するために、ＰＣＳインスツルメンツ社の５２１００平滑（０．０２ミクロンのＲａ）スチール製ディスクから、ヘプタン、ヘキサン、およびイソオクタンを用いて、耐食性被膜を除いた。次に、ディスクを柔らかなティッシュできれいに拭き、ディスク・トラック上の被膜が除かれ、ディスクのトラックが輝いて見えるまで、洗浄用溶剤を入れたビーカーに沈めた。ディスクと試験ボールとを別々の容器に入れて、シェブロン４５０シンナーに浸した。最後に、試験試料を超音波洗浄器に入れて、２０分間超音波洗浄をした。シェブロン社が変更したＰＣＳ摩耗試験での結果を、表２に示す。
【０１１７】
表２
────────────────
実施例／比較例    ＷＳＤ（μｍ）
────────────────
実施例１        ２９４
実施例２        ３２３
比較例Ａ        ５４９
比較例Ｂ        ３４５
比較例Ｃ        ３７８
────────────────
【０１１８】
本発明の潤滑油組成物が、改良された摩耗性能を示すことは明らかである。
【０１１９】
本明細書が開示する態様について、様々な変更が可能であることが理解できるであろう。従って、以上の説明は限定的に解釈されるべきではなく、好ましい態様の例示にすぎないとすべきである。例えば、上記のおよび本発明を実施するための最良の態様として実施されるべき機能は、説明のみを目的としている。他の変更や方式も、本発明の範囲や精神を逸脱することなく、当業者は実施できるであろう。さらに当業者は、ここに書き添えられている請求の範囲と精神の中で他の変更を行うことも可能であろう。
【国際調査報告】
2013513711.tif 000005
2013513711.tif 000006
2013513711.tif 000007
2013513711.tif 000008